(57)【要約】【課題】撮影モードに応じて、画像信号の伝送エラーを訂正しつつ、高フレームレート撮影を行うことを可能とする撮像装置を提供する。【解決手段】撮像装置１００が有するＣＰＵ１０２が、被写体を撮影して画像信号を取得する。そして、ＣＰＵ１０２は、取得された画像信号に誤り訂正符号を付加する制御を行う。具体的には、ＣＰＵ１０２は、撮像装置１００の撮影モードに応じて、画像信号に付加する誤り訂正符号のビット数を制御する。【選択図】図１
2020145606.tif 000002
【特許請求の範囲】
【請求項１】
被写体光を光電変換して画像信号を取得する取得手段と、
前記取得された画像信号に対する誤り訂正符号の付加処理を制御する制御手段と、を有し、
前記制御手段は、撮像装置の撮影モードに応じて、前記付加処理に用いる誤り訂正符号のビット数を制御する
ことを特徴とする撮像装置。
【請求項２】
前記制御手段は、前記撮影モードが第１の撮影モードである場合は、前記誤り訂正符号を付加せず、前記撮影モードが第２の撮影モードである場合は、前記誤り訂正符号を付加する
ことを特徴とする請求項１に記載の撮像装置。
【請求項３】
前記取得手段は、
第１の撮影モードでは、所定の検出処理用の画像信号を取得し、
第２の撮影モードでは、記録用の画像信号を取得する
ことを特徴とする請求項１または請求項２に記載の撮像装置。
【請求項４】
前記取得手段は、
第１の撮影モードでは、所定の検出処理用の画像信号を取得し、
第２の撮影モードでは、表示用の画像信号を取得する
ことを特徴とする請求項１乃至３のいずれか１項に記載の撮像装置。
【請求項５】
前記画像信号に係る画像の補正処理を行う補正手段を有する
ことを特徴とする請求項１乃至４のいずれか１項に記載の撮像装置。
【請求項６】
前記補完手段は、撮影モードに応じて、前記補正処理を制御する
ことを特徴とする請求項５に記載の撮像装置。
【請求項７】
前記補完手段は、
前記第１の撮影モードでは、前記補正処理を行わず、
前記第２の撮影モードでは、前記補正処理を行う
ことを特徴とする請求項６に記載の撮像装置。
【請求項８】
前記取得手段と前記制御手段とを備える撮像素子を有する
ことを特徴とする請求項１乃至７のいずれか１項に記載の撮像装置。
【請求項９】
前記取得手段は、前記第１の撮像モードでは、位相差検出用の画像信号を取得し、前記第２の撮像モードでは、撮像画像用の画像信号を取得し、
１水平期間単位または１水平期間内で、前記撮像素子から出力される画像信号を、前記位相差検出用の画像信号と前記撮像画像用の画像信号とで切り替える切り替え手段を有する
ことを特徴とする請求項８に記載の撮像装置。
【請求項１０】
被写体光を光電変換して画像信号を取得する取得工程と、
前記取得された画像信号に対する誤り訂正符号の付加処理を制御する制御工程と、を有し、
前記制御工程では、撮像装置の撮影モードに応じて、前記付加処理に用いる誤り訂正符号のビット数を制御する
ことを特徴とする撮像装置の制御方法。
【発明の詳細な説明】
【技術分野】
【０００１】
本発明は、撮像装置およびその制御方法に関する。
【背景技術】
【０００２】
撮像装置に使用されるＣＭＯＳセンサ等の撮像素子の画素数向上に伴い、撮像素子から画像を読み出すためのインタフェースが高速化しつつある。撮像素子から画像データを読み出す際に、クロック埋め込み方式の採用やインタフェースの低電圧化によって高速読み出しが実現できるが、伝送エラーが問題となる。
【０００３】
データ送信側で誤り訂正符号を画像データの所定ビット数毎に付与し、データ受信側で伝送エラーによるデータの誤りを訂正する技術が提案されている。特許文献１は、伝送エラーによるデータの誤りを訂正するための誤り訂正符号を付加する撮像装置を開示している。
【先行技術文献】
【特許文献】
【０００４】
【特許文献１】特開２０１２−１２０１５８号公報
【発明の概要】
【発明が解決しようとする課題】
【０００５】
特許文献１が開示する撮像装置は、誤り訂正符号を付加する分、画像データの伝送時間が大きくなり、フレームレートが低下する。従来、撮影モードに応じて誤り訂正符号の付加処理を制御する撮像装置は提案されていなかった。本発明は、撮影モードに応じて、画像信号の伝送エラーを訂正しつつ、高フレームレート撮影を行うことを可能とする撮像装置の提供を目的とする。
【課題を解決するための手段】
【０００６】
本発明の一実施形態の撮像装置は、  被写体光を光電変換して画像信号を取得する取得手段と、前記取得された画像信号に対する誤り訂正符号の付加処理を制御する制御手段と、を有する。前記制御手段は、撮像装置の撮影モードに応じて、前記付加処理に用いる誤り訂正符号のビット数を制御する。
【発明の効果】
【０００７】
本発明の撮像装置によれば、撮影モードに応じて、画像信号の伝送エラーを訂正しつつ、高フレームレート撮影を行うことが可能となる。
【図面の簡単な説明】
【０００８】
【図１】撮像装置の構成例を示す図である。
【図２】撮像素子と画像処理部の構成の一例を図である。
【図３】誤り訂正符号処理部の構成の一例を示す図である。
【図４】送信部から受信部に対して出力されるデータの一例を示す図である。
【図５】撮像装置の撮影動作を説明するフローチャートである。
【図６】撮像装置の撮影動作を説明するタイミングチャートである。
【図７】撮像装置の撮影動作を説明するフローチャートである。
【図８】撮像装置の撮影動作を説明するタイミングチャートである。
【発明を実施するための形態】
【０００９】
（実施例１）
図１は、本実施形態の撮像装置の構成例を示す図である。
撮像装置１００は、例えばデジタルカメラであり、静止画像撮影機能及び動画像撮影機能を有している。撮像装置１００は、撮像素子１０１乃至コネクタ１０９を有する。撮像素子１０１には、撮影レンズ（図示せず）を通過した光学像が結像する。撮像素子１０１は、結像した光学像を電気信号（アナログ画素信号）に光電変換した後、所定の量子化ビット数に応じてデジタル画像信号に変換して出力する。すなわち、撮像素子１０１は、被写体光を光電変換して画像信号を取得する取得手段として機能する。
【００１０】
ＣＰＵ（Central Processing Unit ）１０２は、バス１１０を通じて各処理部を制御することで、撮像装置１００を統括的に制御する。例えば、ＣＰＵは、撮像素子１０１から画像信号を読み出す。操作部１０３は、ユーザが撮像装置１００に静止画や動画の撮影指示を行うために用いる撮影スイッチ（ＳＷ）を含み、撮像条件等を設定する際に用いられる。表示部１０４は、ＣＰＵ１０２の制御にしたがい、画像信号に係る画像（静止画像又は動画像）の表示と、メニュー等の表示を行う。
【００１１】
ＲＡＭ（Random Access Memory）１０５は、撮像素子１０１から出力される画像信号に係るデータ（画像データ）と、画像処理部１０７で処理された画像データを記憶する。ＲＡＭ１０５は、ＣＰＵ１０２のワークメモリとしても用いられる。本実施形態では、画像メモリ及びワークメモリとして、ＲＡＭ１０５を用いるが、アクセス速度に問題ないものであれば、他のメモリを用いてもよい。ＲＯＭ（Read Only Memory）１０６には、ＣＰＵ１０２で動作するプログラムが格納される。本実施形態では、ＲＯＭ１０６として、フラッシュＲＯＭが用いられるが、アクセス速度に問題がないものであれば、他のメモリを用いてもよい。
【００１２】
画像処理部１０７は、撮像素子１０１から送信された画像信号を受信して、所定の画像処理を実行する。画像処理部１０７は、例えば、静止画像または動画像の補正処理や、画像の圧縮処理等を行う。インタフェース部（Ｉ／Ｆ）１０８は、外部記録部１１１との間のデータの送受信を媒介する。
【００１３】
外部記録部１１１は、Ｉ／Ｆ１１２、記録媒体１１３及びコネクタ１１４を有する。Ｉ／Ｆ１１２は、撮像装置１００との間のデータの送受信を媒介する。記録媒体１１３は、例えば、不揮発性メモリ又はハードディスクであり、画像データ等を記録する。外部記録部１１１は、コネクタ１１４と撮像装置１００のコネクタ１０９とを介して、Ｉ／Ｆ１０８と接続される。本実施形態では、コネクタ１０９、１１４によって撮像装置１００に対して着脱可能な外部記録部１１１に記録媒体１１３を設けているが、撮像装置１００に不揮発性メモリ又はハードディスク等の記録媒体を内蔵するようにしてもよい。
【００１４】
図２は、撮像素子と画像処理部の構成の一例を図である。
撮像素子１０１は、撮像部２００と送信部２１０とを有する。また、画像処理部１０７は、受信部２２０と画像補正部２３０とを有する。送信部２１０と受信部２２０との間のデータ通信として、例えばクロック埋め込み方式の高速な差動伝送が用いられる。
【００１５】
撮像部２００は、被写体光を光電変換して、画像信号（画像データ）を取得する。具体的には、撮像部２００は、光電変換とアナログデジタル変換を行う。送信部２１０は、取得された画像データに所定の処理を行った上で、画像処理部１０７に送信する。送信部２１０は、画像データを送信部２１０、受信部２２０間の通信プロトコルに準拠した形式に変換する。このために、送信部２１０は、Ｂｙｔｅ変換部２１１、誤り訂正符号処理部（符号化）２１２、８ｂ１０ｂ変換部２１３、パラレルシリアル変換部２１４を有する。
【００１６】
Ｂｙｔｅ変換部２１１は、画素単位の画像信号（画像データ）をＢｙｔｅ単位に変換する。例えば、１画素１４ビットである場合は、Ｂｙｔｅ変換部２１１は、４画素５６ビットを７Ｂｙｔｅに変換する。誤り訂正符号処理部２１２は、誤り訂正符号を画像データに対して付加する制御を行う。誤り訂正符号は、送信部２１０と受信部２２０との間での伝送エラーによる画像データの誤りを訂正するために用いられる符号である。８ｂ１０ｂ変換部２１３は、８ビットのデータを１０ビットに伸長する。８ｂ１０ｂ変換部２１３は、クロックを埋め込み方式の伝送において、送信データのトグル率を上げるために使用される。パラレルシリアル変換部２１４は、パラレルデータをシリアルデータに変換する。
【００１７】
受信部２２０は、シリアルパラレル変換部２２１、１０ｂ８ｂ変換部２２２、誤り訂正符号処理部２２３、画素データ変換部２２４を有する。シリアルパラレル変換部２２１は、シリアルデータをパラレルデータに変換する。１０ｂ８ｂ部は、１０ビットのデータを８ビットのデータに変換する。誤り訂正符号処理部２２３は、誤り訂正符号を使って、伝送エラーによるデータの誤りを訂正する。画素データ変換部２２４は、Ｂｙｔｅ単位のデータを画素単位のデータに変換する。
【００１８】
画像補正部２３０は、静止画や動画の補正を行う。本実施形態では、画像補正部２３０は、画素を補正することで、画像データの伝送エラーを補完する処理（補完処理）を行う補完処理部２３１を有する。補完処理部２３１は、注目画素の値と周辺画素の値を比較し、注目画素の値と周辺画素の値が閾値以上である場合は、注目画素の値を周辺画素の値をもとに補正する。補完処理部２３１は、例えば、誤り訂正符号を付加しない撮影モードでは補完処理を行い、誤り訂正符号を付加する撮影モードでは、補完処理を行わないようにする。
【００１９】
図３は、誤り訂正符号処理部の構成の一例を示す図である。
誤り訂正符号処理部２１２は、誤り訂正符号制御部３００、誤り訂正符号生成部３０１、誤り訂正符号化部３０２を有する。誤り訂正符号制御部３００は、画像データに対する誤り訂正符号の付加処理を制御する。具体的には、誤り訂正符号制御部３００は、誤り訂正符号制御信号に応じて、画像データに対する誤り訂正符号の付加／非付加を決定したり、付加する誤り訂正符号のビット数を制御する。ある撮影モードでは誤り訂正符号を付加せず、他の撮影モードでは誤り訂正符号を付加する、という動作の切り替えは、誤り訂正符号制御信号によって実現される。誤り訂正符号制御部３００は、誤り訂正制御信号をＣＰＵ１０２から受信してもよいし、画像処理部１０７から受信してもよい。誤り訂正符号生成部３０１は、誤り訂正符号制御部３００の制御にしたがって、Ｂｙｔｅ変換部２１１から入力された画像データに対応する誤り訂正符号を生成する。誤り訂正符号付加部３０２は、誤り訂正符号制御部３００の制御にしたがって、画像データに対して、誤り訂正符号生成部３０１によって生成された誤り訂正符号を付加して出力する。
【００２０】
図４は、送信部から受信部に対して出力されるデータの一例を示す図である。
図４に示すデータは、ＳｔａｒｔＣｏｄｅ、パケットヘッダ、ペイロードデータ、ＥｎｄＣｏｄｅを有する。ＳｔａｒｔＣｏｄｅとＥｎｄＣｏｄｅは、伝送プロトコルによって定められた制御コードであり、パケットヘッダとペイロードデータを挟む形で伝送される。パケットヘッダは、ペイロードの情報を示す信号であり、ペイロードデータの前に伝送される。ペイロードデータは、画像データを加工したものであり、パケットヘッダの後に伝送される。画像データの加工とは、例えば、Ｂｙｔｅ変換処理や、誤り訂正符号処理部２１２による誤り訂正符号の付加などである。Ｂｙｔｅ変換処理後の画像データについて、例えば、１２８Ｂｙｔｅから２５６Ｂｙｔｅ程度毎に、所定のＢｙｔｅ数の誤り訂正符号が付加される。
【００２１】
図５は、実施例１の撮像装置の撮影動作を説明するフローチャートである。
本実施例では、背面液晶を有するデジタルカメラで背面液晶表示用の撮影モード（ライブビュー撮影モード）で撮影しながら待機し、静止画撮影ＳＷ、動画撮影ＳＷが押された時に、静止画撮影モード、動画撮影モードに移行する動作を例にとって説明する。本実施例では、第１の撮影モードである撮影モード１は、ライブビュー撮影モードとする。また、第２の撮影モードである撮影モード２は、静止画撮影モードとする。また、第３の撮影モードである撮影モード３は、動作撮影モードとする。撮影モード２および撮影モード３は、撮像素子１０１が、撮像画像用の画像信号、つまり記録用または表示用の画像信号を取得する撮影モードである。ライブビュー撮影モードでは、撮像素子１０１は、所定の検出処理用の画像信号を取得し、ＣＰＵ１０２が、検出処理用の画像信号を読み出す。所定の検出処理は、例えば、焦点検出処理、測光処理、画角の決定処理等である。撮像装置１００は、ライブビュー撮影モードでは、誤り訂正符号を付加せず、静止画撮影モードでは、誤り訂正符号を付加する。
【００２２】
ユーザが、図１の操作部１０３が有する撮影ＳＷを押下すると、撮影が開始される。Ｓ１００において、ＣＰＵ１０２が、読み出し設定（撮影モード１）を行う。読み出し設定（撮影モード１）は、撮影モード１における撮像素子１０１からの画像信号の読み出しに関する設定である。続いて、Ｓ１０１において、ＣＰＵ１０２が、誤り訂正符号処理設定（撮影モード１）を行う。誤り訂正符号処理設定（撮影モード１）は、撮影モード１における、誤り訂正符号の付加処理に関する設定である。撮影モード１では、ＣＰＵ１０２は、誤り訂正符号を付加しない設定を行う。
【００２３】
次に、Ｓ１０２において、ＣＰＵ１０２が、撮像素子１０１を制御して、画像信号読み出し（撮影モード１）を行う。画像信号読み出し（撮影モード１）は、撮影モード１における、画像信号の読み出しである。撮像素子１０１は、Ｓ１０２で読み出す画像信号（画像データ）に対して、誤り訂正符号の付加を行わない。
【００２４】
次に、Ｓ１０３において、ＣＰＵ１０２が、静止画撮影ＳＷが押下されているかを判断する。静止画撮影ＳＷが押下されていない場合は、処理がＳ１０９に進む。静止画撮影ＳＷが押下されている場合は、処理がＳ１０４に進む。Ｓ１０４において、ＣＰＵ１０２が、読み出し設定（撮影モード２）を行う。読み出し設定（撮影モード２）は、撮影モード２における撮像素子１０１からの画像信号の読み出しに関する設定である。続いて、Ｓ１０５において、ＣＰＵ１０２が、誤り訂正符号処理設定（撮影モード２）を行う。誤り訂正符号処理設定（撮影モード２）は、撮影モード２における、誤り訂正符号の付加処理に関する設定である。撮影モード２では、ＣＰＵ１０２は、誤り訂正符号を付加する設定を行う。
【００２５】
Ｓ１０６において、ＣＰＵ１０２が、撮像素子１０１を制御して、画像信号読み出し（撮影モード２）を行う。画像信号読み出し（撮影モード２）は、撮影モード２における、画像信号の読み出し、つまり静止画像の読み出しである。撮像素子１０１は、Ｓ１０６で読み出す画像信号（画像データ）に対して、誤り訂正符号を付加する。
【００２６】
次に、Ｓ１０７において、ＣＰＵ１０２が、静止画撮影ＳＷが押下されているかを判断する。静止画撮影ＳＷが押下されていない場合は、処理がＳ１０８に進む。静止画撮影ＳＷが押下されている場合は、処理がＳ１０６に戻る。Ｓ１０８において、ＣＰＵ１０２が、撮影の終了指示があったか判断する。撮影の終了指示があった場合は、処理が終了する。撮影の終了指示がない場合は、処理がＳ１００に戻る。
【００２７】
次に、動作撮影ＳＷの押下に応じた読み出しについて説明する。Ｓ１０９において、ＣＯＵ１０２が、動画撮影ＳＷが押下されているかを判断する。動画撮影ＳＷが押下されていない場合は、処理がＳ１０８に進む。動画撮影ＳＷが押下されている場合は、処理がＳ１１０に進む。Ｓ１１０において、ＣＰＵ１０２が、読み出し設定（撮影モード３）を行う。読み出し設定（撮影モード３）は、撮影モード３における撮像素子１０１からの画像信号の読み出しに関する設定である。続いて、Ｓ１１１において、ＣＰＵ１０２が、誤り訂正符号処理設定（撮影モード３）を行う。誤り訂正符号処理設定（撮影モード３）は、撮影モード３における、誤り訂正符号の付加処理に関する設定である。撮影モード３では、ＣＰＵ１０２は、誤り訂正符号を付加する設定を行う。
【００２８】
Ｓ１１２において、ＣＰＵ１０２が、撮像素子１０１を制御して、画像信号読み出し（撮影モード３）を行う。画像信号読み出し（撮影モード３）は、撮影モード３における、画像信号の読み出し、つまり動画像の読み出しである。撮像素子１０１は、Ｓ１１２で読み出す画像信号に係る画像データに対して、誤り訂正符号を付加する。続いて、Ｓ１１３において、ＣＰＵ１０２が、動画撮影ＳＷが押下されているかを判断する。動画撮影ＳＷが押下されていない場合は、処理がＳ１０８に進む。動画撮影ＳＷが押下されている場合は、処理がＳ１１２に戻る。
【００２９】
図６は、実施例１の撮像装置の撮影動作を説明するタイミングチャートである。
図５と照らし合わせながら、撮影動作を説明する。まず、時刻Ｔ１０ａで、撮影ＳＷが押下され、撮影が開始される。続いて、時刻Ｔ１０ｂで、撮影モード１の読み出し設定の通信が行われる。この処理は、図５のＳ１００に該当する。続いて、時刻Ｔ１０ｃで、撮影モード１の誤り訂正符号処理設定の通信が行われる。この処理は、図５のＳ１０１に該当する。撮影モード１では、誤り訂正符号を付加しない設定が通信される。続いて、時刻Ｔ１０ｄで、撮影モード１の読み出しが開始される。この処理は、図５のＳ１０２に該当する。期間Ｔ１１の間、誤り訂正符号を付加しない撮影モード１での読み出しが行われる。撮影モード１では、誤り訂正符号が付加されないので、ＣＰＵ１０２が、補完処理部２３１を制御して、補完処理を行ってもよい。
【００３０】
次に、時刻Ｔ１１ａで、静止画撮影ＳＷが押下され、静止画撮影に移行する。この処理は、図５のＳ１０３のＹＥＳに該当する。続いて、時刻Ｔ１１ｂで、撮影モード２の読み出し設定の通信が行われる。この処理は、図５のＳ１０４に該当する。続いて、時刻Ｔ１１ｃで、誤り訂正符号処理設定の通信が行われる。この処理は、図５のＳ１０５に該当する。撮影モード２では、誤り訂正符号を付加する設定が通信される。
【００３１】
次に、時刻Ｔ１１ｄで、撮影モード２の読み出しが開始される。この処理は、図５のＳ１０６に該当する。期間Ｔ１２の間、誤り訂正符号を付加する撮影モード２での読み出しが行われる。撮影モード２では、誤り訂正符号が付加されるので、補完処理部２３１は、補完処理を行わなくてもよい。
【００３２】
次に、時刻Ｔ１２ａで、撮影モード１の読み出し設定が行われる。この処理は、図５のＳ１００に該当する。時刻Ｔ１２ｂで、誤り訂正符号を付加しない設定が行われる。続いて、時刻Ｔ１２ｃで、撮影モード１の読み出しが行われる。この処理は、図５のＳ１０２に該当する。撮影モード１では、誤り訂正符号が付加されないので、ＣＰＵ１０２が、補完処理部２３１を制御して、補完処理を行ってもよい。以降、撮影終了までの間、静止画撮影ＳＷの押下に応じた読み出しを行う。図５では、静止画撮影ＳＷの押下に応じた読み出し処理を例にとって説明したが、動止画撮影ＳＷの押下に応じた読み出し処理も、図５を参照して説明した処理と同様である。なお、ＣＰＵ１０２が、撮影モード１乃至３の読み出し設定、誤り訂正符号処理設定を、撮影開始時に一括で行い、所定の時間毎に設定を切り替える動作をしてもよい。実施例１の撮像装置によれば、伝送エラーによる画質劣化の影響が小さい第１の撮影モードで誤り訂正符号を付加しないので、高速読み出しを実現することができる。
【００３３】
上記の説明では、ＣＰＵ１０２が、第１の撮影モードでは誤り訂正符号を付加せず、第２の撮影モードと第３の撮影モードでは、誤り訂正符号を付加する例を挙げたが、本発明は、撮影モードに応じて誤り訂正符号の付加／非付加を切り替える例に限定されない。ＣＰＵ１０２が、誤り訂正符号化処理部２１２を制御して、第１の撮影モードで、第２または第３の撮影モードにおいて付加される誤り訂正符号のビット数より少ないビット数の誤り訂正符号を付加するようにしてもよい。また、ＣＰＵ１０２が、第３の撮影モードで付加する誤り訂正符号のビット数を第２の撮影モードで付加する誤り訂正符号のビット数より少なくしてもよい。
【００３４】
（実施例２）
実施例２では、撮像素子１０１が、位相差検出用の画像信号（以下、「位相差検出用信号」と記述）と、撮像画像用の画像信号とを出力する。このために、撮像素子１０１は、例えば、１つのマイクロレンズに対して、異なる射出瞳を通過した光を光電変換する第１および第２の光電変換部を有する。撮像素子１０１が有する撮像部２００は、第１の光電変換部から位相差検出用信号を取得し、第１および第２の光電変換部から撮像画像用の画像信号を取得する。そして、ＣＰＵ１０２は、撮像素子１０１が出力する位相差検出用信号と、撮像画像用の画像信号とを、１水平期間単位または１水平期間内で切り替える。
【００３５】
実施例２では、位相差検出用信号を取得する撮影モードを撮影モード１とする。また、撮像画像用の画像信号を取得する撮影モードを撮影モード２とする。ＣＰＵ１０２は、撮像素子１０１の誤り訂正符号処理部２１２を制御して、撮影モードに応じて、画像信号（画像データ）に付加する誤り訂正符号のビット数を制御する。撮像素子１０１は、例えば、位相差検出用信号には誤り訂正符号を付加せず、撮像画像用の画像信号には誤り訂正符号を付加する。以下の説明では、撮像画像用の画像信号を、単に「画像用信号」とも記述する。本発明は、撮影モードに応じて誤り訂正符号の付加／非付加を切り替える例に限定されない。ＣＰＵ１０２が、第１の撮影モードで、第２の撮影モードにおいて付加される誤り訂正符号のビット数より少ないビット数の誤り訂正符号を付加するようにしてもよい。
【００３６】
実施例２での撮像装置の基本的構成、撮像素子１０１と画像処理部１０７との関係、誤り訂正符号処理部２１２の構成、送信部２１０から受信部２２０に対して出力されるデータの構成は、実施例１と同様である。
【００３７】
図７は、実施例２の撮像装置の撮影動作を説明するフローチャートである。
ユーザが、図１の操作部１０３が有する撮影ＳＷを押下すると、撮影が開始される。まず、Ｓ２００において、ＣＰＵ１０２が、位相差検出用信号を読み出すか、つまり第１の撮像モードであるかを判断する。ＣＰＵ１０２が、位相差検出用信号を読み出すと判断した場合は、処理がＳ２０１に進む。ＣＰＵ１０２が、位相差検出用信号ではなく、画像用信号を読み出すと判断した場合は、処理がＳ２０４に進む。
【００３８】
Ｓ２０１において、読み出し設定（位相差検出用信号）を行う。読み出し設定（位相差検出用信号）は、位相差検出用信号の読み出しに関する設定である。続いて、Ｓ２０２において、ＣＰＵ１０２が、誤り訂正符号処理設定（位相差検出用信号）を行う。誤り訂正符号処理設定（位相差検出用信号）は、位相差検出用信号に対する誤り訂正符号の付加処理に関する設定である。ＣＰＵ１０２は、位相差検出用信号に誤り訂正符号を付加しない設定を行う。
【００３９】
次に、Ｓ２０３において、ＣＰＵ１０２が、撮像素子１０１を制御して、画像信号読み出し（位相差検出用信号）を行う。画像信号読み出し（位相差検出用信号）は、位相差検出用信号の読み出しである。撮像素子１０１は、Ｓ２０３で読み出す位相差検出用信号に対して、誤り訂正符号の付加を行わない。続いて、Ｓ２０７において、ＣＰＵ１０２が、撮影の終了指示があったか判断する。撮影の終了指示があった場合は、処理が終了する。撮影の終了指示がない場合は、処理がＳ２００に戻る。
【００４０】
また、Ｓ２０４において、読み出し設定（画像用信号）を行う。読み出し設定（画像用信号）は、画像用信号の読み出しに関する設定である。続いて、Ｓ２０５において、ＣＰＵ１０２が、誤り訂正符号処理設定（画像用信号）を行う。誤り訂正符号処理設定（画像用信号）は、画像用信号に対する誤り訂正符号の付加処理に関する設定である。ＣＰＵ１０２は、画像用信号に誤り訂正符号を付加する設定を行う。続いて、Ｓ２０６において、ＣＰＵ１０２が、撮像素子１０１を制御して、画像信号読み出し（画像用信号）を行う。画像信号読み出し（画像用信号）は、画像用信号の読み出しである。撮像素子１０１は、Ｓ２０６で読み出す画像用信号に誤り訂正符号を付加する。Ｓ２０６の処理の後、処理がＳ２０７に進む。
【００４１】
図８は、実施例２の撮像装置の撮影動作を説明するタイミングチャートである。
実施例２の撮像装置１００は、１水平同期信号毎に誤り訂正符号の付加／非付加を切り替えて画像信号を読み出す。図７と照らし合わせながら、撮影動作を説明する。まず、時刻Ｔ２０ａで、撮影ＳＷが押下され、撮影が開始される。続いて、時刻Ｔ２０ｂで、位相差検出用信号の読み出し設定（撮影モード１の読み出し設定）の通信が行われる。これは、図７のＳ２０１に該当する。
【００４２】
次に、時刻Ｔ２０ｃで、位相差検出用信号の誤り訂正符号処理設定の通信が行われる。この処理は、図７のＳ２０２に該当する。ＣＰＵ１０２は、位相差検出用信号には誤り訂正符号を付加しない。続いて、時刻Ｔ２０ｄで、位相差検出用信号の読み出しが開始される。この処理は、図７のＳ２０３に該当する。期間Ｔ２１の間、誤り訂正符号を付加しない位相差検出用信号の読み出しが行われる。位相差検出用信号には誤り訂正符号が付加されない。したがって、ＣＰＵ１０２が、補完処理部２３１を制御して、補完処理を行ってもよい。
【００４３】
次に、時刻Ｔ２１ａで、画像用信号の読み出し設定の通信が行われる。この処理は、図７のＳ２０４に該当する。続いて、時刻Ｔ２１ｂで、画像用信号の誤り訂正符号処理設定の通信が行われる。この処理は、図７のＳ２０５に該当する。画像用信号には、誤り訂正符号が付加される。時刻Ｔ２１ｃから画像用信号の読み出しが開始される。この処理は、図７のＳ２０６に該当する。期間Ｔ２２の間、誤り訂正符号を付加する画像用信号の読み出しが行われる。画像用信号には誤り訂正符号が付加されるので、補完処理部２３１は、補完処理を行わなくてもよい。
【００４４】
次に、時刻Ｔ２２ａで、再び、位相差検出用信号の読み出し設定の通信が行われる。この処理は、図７のＳ２０１に該当する。続いて、次に、時刻Ｔ２２ｂで、位相差検出用信号の誤り訂正符号処理設定の通信が行われる。この処理は、図７のＳ２０２に該当する。位相差検出用信号には誤り訂正符号は付加されない。
【００４５】
次に、時刻Ｔ２２ｃから位相差検出用信号の読み出しが開始される。この処理は、図７のＳ２０３に該当する。期間Ｔ２３の間、誤り訂正符号を付加しない位相差検出用信号の読み出しが行われる。位相差検出用信号には誤り訂正符号が付加されないので、ＣＰＵ１０２が、補完処理部２３１を制御して、補完処理を行ってもよい。
【００４６】
次に、時刻Ｔ２３ａで、再び、画像用信号の読み出し設定の通信が行われる。この処理は、図７のＳ２０４に該当する。続いて、時刻Ｔ２３ｂで、画像用信号の誤り訂正符号処理設定の通信が行われる。この処理は、図７のＳ２０５に該当する。画像用信号には誤り訂正符号が付加される。
【００４７】
次に、時刻Ｔ２３ｃから画像用信号の読み出しが開始される。この処理は、図７のＳ２０６に該当する。画像用信号には誤り訂正符号が付加されない。したがって、ＣＰＵ１０２は、補完処理部２３１を制御して、補完処理を行ってもよい。以降、ＣＰＵ１０２は、１水平同期信号毎に位相差検出用信号の読み出しと画像用信号読み出しを切り替えて撮影を行う。
【００４８】
撮影モード１が、位相差検出用信号を読み出す撮影モード、撮影モード２が、画像用信号を読み出す撮影モードである場合を例にとって説明したが、本発明の適用範囲は、この例に限定されない。例えば、撮影モード１が、調光用の画像信号を読み出す動画撮影モードであり、撮影モード２が、背面液晶表示用の画像を読み出す動画撮影モードであってもよい。また、撮影モード１，２の読み出し設定、誤り訂正符号処理設定を撮影開始時に一括で行い、所定の時間毎に設定を切り替えるようにしてもよい。実施例２の撮像装置１００によれば、位相差検出用信号に誤り訂正符号を付加せず、画像用信号に誤り訂正符号を付加することにより、ユーザが閲覧する撮像画像には影響を与えずに、フレームレートを高速化することができる。
【００４９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５０】
１００  撮像装置
１０１  撮像素子
１０７  画像処理部
【図１】
2020145606.tif 000003
【図２】
2020145606.tif 000004
【図３】
2020145606.tif 000005
【図４】
2020145606.tif 000006
【図５】
2020145606.tif 000007
【図６】
2020145606.tif 000008
【図７】
2020145606.tif 000009
【図８】
2020145606.tif 000010